(57)【特許請求の範囲】
【請求項１】
物体側から像側へと順次に、
負の屈折力を有する第１レンズと、
負の屈折力を有する第２レンズと、
屈折力を有する第３レンズと、
正の屈折力を有する第４レンズと、
負の屈折力を有する第５レンズと、
正の屈折力を有し、像側面が凸面である第６レンズと、
負の屈折力を有する第７レンズと
からなる、下記の関係式を満たすことを特徴とする７枚式広角レンズ。
０．０６＜ＣＴ３／ＴＴＬ＜０．１５；
−０．７＜ｆ６／ｆ７＜−０．２；
−４．１＜ｆ１／ｆ＜−２．５；
０．５５＜ＣＴ３／ＣＴ６＜１．３；
式中、
ＣＴ３は、前記第３レンズの光軸上の中心厚であり；
ＣＴ６は、前記第６レンズの光軸上の中心厚であり；
ＴＴＬは、前記第１レンズ物体側面から撮影用広角レンズの結像面までの軸上距離であり；
ｆ６は、前記第６レンズの有効焦点距離であり；
ｆ７は、前記第７レンズの有効焦点距離であり；
ｆ１は、前記第１レンズの有効焦点距離であり；
ｆは、前記７枚式広角レンズの有効焦点距離である。
【請求項２】
下記関係式を満たすことを特徴とする請求項１に記載の７枚式広角レンズ。
１．５＜ｆ４／ｆ＜３；
式中、
ｆ４は、前記第４レンズの有効焦点距離であり；
ｆは、前記７枚式広角レンズの有効焦点距離である。
【請求項３】
下記関係式を満たすことを特徴とする請求項１に記載の７枚式広角レンズ。
１．３＜ＩｍｇＨ／ｆ＜２．５；
式中、
ＩｍｇＨは、結像面における有効画素領域の対角線の長さの半分であり；
ｆは、前記７枚式広角レンズの有効焦点距離である。
【請求項４】
下記関係式を満たすことを特徴とする請求項１に記載の７枚式広角レンズ。
０．２＜ΣＴ／ＴＴＬ＜０．５；
式中、
ΣＴは、前記第１レンズから前記第７レンズまで任意の隣接する両レンズ間の軸上の間隔距離の総和であり；
ＴＴＬは、前記第１レンズ物体側面から撮影用広角レンズの結像面までの軸上距離である。
【請求項５】
下記関係式を満たすことを特徴とする請求項１に記載の７枚式広角レンズ。
０．２５＜ＣＴ５／ＣＴ６＜０．５；
式中、
ＣＴ５は、前記第５レンズの光軸上の中心厚であり；
ＣＴ６は、前記第６レンズの光軸上の中心厚である。
【請求項６】
下記関係式を満たすことを特徴とする請求項１に記載の７枚式広角レンズ。
０．７＜ＤＴ３１／ＤＴ６２＜１．１；
式中、
ＤＴ３1は、前記第３レンズ物体側面の有効半径であり；
ＤＴ６２は、前記第６レンズ像側面の有効半径である。
【発明の詳細な説明】
【技術分野】
【０００１】
本発明は、広角レンズに関し、特に、７枚のレンズで構成された広角レンズに関する。
【背景技術】
【０００２】
テクノロジーの発展につれ、広角レンズ、これには超広角レンズ、魚眼レンズ等の視野角を備えた大きい標準レンズを含んだ様々なレンズが、例えば撮影、防犯、測定、投影、エンターテインメント、車載等といった益々多くの場面において重要な働きを発揮し、撮影面において、広角レンズの焦点距離が短く視野が広いという特性により、形成されるユニークな樽型歪曲が観察者に強烈な視覚的インパクトをもたらす。
【０００３】
また測定面において、広角レンズは持つ視野が広いという特性により、一度の結像が更に多くの情報量を得ることができるため、測定して得られるデータ量も更に多くなる。例えば投影の場合、よく見られる投影レンズは、平面上に結像され、また視野が広い魚眼レンズは、環状スカイスクリーンに結像でき、視聴中、真夏の夜の星空を見るような身を置く視聴感覚となる。
【０００４】
車載への応用面において、最大視野角により、観察できる空間エリアが更に幅広くなり、こうして後退時、周囲を見回す応用面でより一層効果を奏し；一般光学系の感光性素子が電荷結合素子（ＣＣＤ）或いは相補型金属酸化膜半導体素子（ＣＭＯＳ）の２つしかない。半導体の工程技術の向上、感光性素子の画素寸法の縮小につれ、光学系がより高い画素、より高い結像品質に向かい；同時に、製品のプロモーションを考慮し、レンズの寸法に対し益々小さくなるよう要求し、かつより安いコストが要求されている。
【０００５】
現在、一般的な広角レンズの多くには、主にオールガラス構造を用い、例えば特許番号第「ＷＯ２０１６０３７３２Ａ１」の特許に示すように、該レンズは７枚のガラスレンズで構成され、大きな口径比を有し、且つ体積が比較的小さい写真レンズを提供している。ただし携帯型電子機器が日増しに発展するにつれ、撮像レンズの小型化、軽量化、広角化及び結像品質等の性能に対しより一層高く要求されてきた。
【０００６】
小型化と軽量化の要求を満たすため、更にレンズの全長を短縮すると共にプラスチックレンズを組み合わせとなった。また既知のオールガラス構造は結像品質を保証する状態において、更にシステムの全長を短縮して視野角を拡大することはできない。
【０００７】
精密加工の出現により、非球面加工の工業化生産が可能となったことで、精密加工技術がガラス素材の直接研削による非球面加工を含むだけでなく、ガラス素材のダイカストによる非球面加工とプラスチック材料の射出成形による非球面加工も含む。
【０００８】
一般的には、非球面の使用が明らかに画質を向上し、収差も減らすことができるだけではなく、撮像レンズのレンズ枚数を減らし、体積も縮小できる。非球面レンズの材料は、ガラスがあったりプラスチックもあり、ガラス素材による非球面レンズが研削加工とダイカスト成形の２つの方法に分かれる。非球面の使用は、広角レンズの性能向上にとって大いなる助けとなる。
【先行技術文献】
【特許文献】
【０００９】
【特許文献１】ＷＯ２０１６０３７３２Ａ１
【発明の概要】
【発明が解決しようとする課題】
【００１０】
本発明は、従来技術に存在する欠陥を克服するため、小型化、結像品質が高く、非球面を用いた７枚式広角レンズを提供することを目的とする。
【課題を解決するための手段】
【００１１】
このため、本発明は７枚式広角レンズを提供する。本発明に係る７枚式広角レンズは、物体側から像側へと順次に、負の屈折力を有する第１レンズと、負の屈折力を有する第２レンズと、屈折力を有する第３レンズと、正の屈折力を有する第４レンズと、屈折力を有する第５レンズと、屈折力を有する第６レンズと、屈折力を有する第７レンズとから実質的になり、下記関係式を満たす。０．０６＜ＣＴ３／ＴＴＬ＜０．１５；−０．７＜ｆ６／ｆ７＜−０．２；式中、ＣＴ３は、第３レンズの光軸上の中心厚であり；ＴＴＬは、第１レンズ物体側面から撮影用広角レンズの結像面までの軸上距離であり；ｆ６は、第６レンズの有効焦点距離であり；ｆ７は、第７レンズの有効焦点距離である。上記設計は、本発明に係るレンズに最大視野角及び高い結像品質があることを保証する基礎において、レンズの小型化を実現する。
【００１２】
好ましくは、本発明に係る７枚式広角レンズは、下記関係式を満たす。１．５＜ｆ４／ｆ＜３、式中、ｆ４は、第４レンズの有効焦点距離であり；ｆは、７枚式広角レンズの有効焦点距離である。
【００１３】
広角レンズは、比較的短い焦点距離が必要とするため、第４レンズの正の焦点距離が長すぎると収差の補正に不利となり；短すぎると加工に不利となる。上式を満足させると、高画質の保証に有利になり、同時に良好な加工性に配慮する。
【００１４】
より好ましくは、本発明に係る７枚式広角レンズは、下記関係式を満たす。１．３＜ＩｍｇＨ／ｆ＜２．５、式中、ＩｍｇＨは、結像面における有効画素領域の対角線の長さの半分であり；ｆは、７枚式広角レンズの有効焦点距離である。１８０°より小さい光学系において、同じ像高の下で、焦点距離が長すぎると比較的大きな負の歪曲が生じ；短すぎると比較的不良な加工性があり、且つエッジ部像面の明るさを保証し難くなる。上式を満足させると歪曲を効果的に修正でき、画質及び製造性も保証する。
【００１５】
より好ましくは、本発明に係る７枚式広角レンズは、下記関係式を満たす。０．２＜ΣＴ／ＴＴＬ＜０．５、式中、ΣＴは、第１レンズから第７レンズまで任意の隣接する両レンズ間の軸上の間隔距離の総和であり；ＴＴＬは、第１レンズ物体側面から撮影用広角レンズの結像面までの軸上距離である。
【００１６】
同じ長さの寸法において、間隔が長すぎると、単レンズのサイズ分布が不均一となり、同時に小型化に不利となり；短すぎると組立性を保証し難くなり、また軸外収差も補正し難くなり、同時にゴーストイメージが生じるリスクも増えてしまう。上式を満足させると、同時に加工性及び画質にも配慮できる。
【００１７】
より好ましくは、本発明に係る７枚式広角レンズの第５レンズは、負の屈折力を有する。
【００１８】
より好ましくは、本発明に係る７枚式広角レンズの第６レンズは、正の屈折力を有し、第６レンズの像側面が凸面である。
【００１９】
より好ましくは、本発明に係る７枚式広角レンズの第７レンズは、負の屈折力を有する。
【００２０】
より好ましくは、本発明に係る７枚式広角レンズは、下記関係式を満たす。−４．１＜ｆ１／ｆ＜−２．５、式中、ｆ１は、第１レンズの有効焦点距離であり；ｆは、７枚式広角レンズの有効焦点距離である。
【００２１】
最大視野角を実現するため、システムの焦点距離は、一般的に短い。第１レンズが正の屈折力を有するタイプについて、バックフォーカスは短い方がよく、なお通常レンズ系の焦点距離より小さく；第１レンズの負の屈折力は、十分なバックフォーカスを保証でき、組立に有利で、同時に外部視野の主光線角度も圧縮できる。上式を満足させると、最大視野角の実現に有利で、十分な長さのバックフォーカスを保証でき；同時に収差の発生を効果的に制御することで、レンズの製造も容易になる。
【００２２】
より好ましくは、本発明に係る７枚式広角レンズは、下記関係式を満たす。０．５５＜ＣＴ３／ＣＴ６＜１．３、式中、ＣＴ３は、第３レンズの光軸上の中心厚であり；ＣＴ６は、第６レンズの光軸上の中心厚である。
【００２３】
第３レンズの厚みが大きすぎると単色収差の補正に不利となり、小さすぎると組み立てに不利となる。第６レンズの厚みが大きすぎると色差の補正に不利となり、小さすぎるとレンズの製造に不利となる。上式を満足させると、加工性及び画質を効果的に配慮できる。
【００２４】
より好ましくは、本発明に係る７枚式広角レンズは、下記関係式を満たす。０．２５＜ＣＴ５／ＣＴ６＜０．５、式中、ＣＴ５は、第５レンズの光軸上の中心厚であり；ＣＴ６は、第６レンズの光軸上の中心厚である。上式の値は大きすぎると色差の解消に不利となり；小さすぎると第５レンズの厚みが薄くなりすぎて、加工性が悪くなる。上式を満足させると、色差及び加工性について効果的にバランスがとれる。
【００２５】
より好ましくは、本発明に係る７枚式広角レンズは、下記関係式を満たす。０．７＜ＤＴ３１／ＤＴ６２＜１．１、式中、ＤＴ３１は、第３レンズ物体側面の有効半径であり；ＤＴ６２は、第６レンズ像側面の有効半径である。
【００２６】
第３レンズの口径が大きすぎると収差の修正に不利となり、小さすぎると組み立てに不利となる。第６レンズの口径が大きすぎるとレンズの小型化に不利となり、小さすぎると収差の修正に不利となる。上式を満足させると、高画質を保証でき、同時に加工性と小型化にも配慮できる。
【００２７】
より好ましくは、本発明に係る７枚式広角レンズの第５レンズは、正の屈折力を有し、第５レンズの像側面が凸面である。
【００２８】
より好ましくは、本発明に係る７枚式広角レンズの第６レンズは、負の屈折力を有し、第６レンズの物体側面が凹面、像側面が凹面である。
【００２９】
より好ましくは、本発明に係る７枚式広角レンズの第７レンズは、正の屈折力を有する。
【００３０】
より好ましくは、本発明に係る７枚式広角レンズは、下記関係式を満たす。１＜ｆ３／ｆ５＜３．５、式中、ｆ３は、第３レンズの有効焦点距離であり；ｆ５は、第５レンズの有効焦点距離である。
【００３１】
上式の値が大きすぎると第５レンズは過多の屈折力を受け、加工性も悪くなり且つ収差の補正にも不利となり；小さすぎると第３レンズの口径を大きくしにくくなり、組立性に不良が生じる。上式を満足させると、レンズの加工性及び組立性を効果的に保証できる。
【００３２】
より好ましくは、本発明に係る７枚式広角レンズは、下記関係式を満たす。０．３＜ｆ５／ｆ７＜０．６、式中、ｆ５は、第５レンズの有効焦点距離であり；ｆ７は、第７レンズの有効焦点距離である。
【００３３】
第５レンズ及び第７レンズは、第６レンズと組み合わせると、システムの色差を補正できる。上式を満足させると、色差の修正に有利となり、第５レンズの加工性を保証できる。
【００３４】
より好ましくは、本発明に係る７枚式広角レンズは、下記関係式を満たす。０．７＜Ｒ１０／Ｒ１１＜１．２、式中、Ｒ１０は、第５レンズの像側面の曲率半径であり；Ｒ１１は、第６レンズの物体側面の曲率半径である。
【００３５】
第５レンズと第６レンズを組み合わせると、システムの色差を補正できる。第５レンズの像側面及び第６レンズの物体側面の曲率半径からの外れが大きすぎた時、色差の修正に不利となり；接近しすぎた時、単色収差の修正に不利となる。上式の値は、各種収差のバランスを実現する。
【００３６】
より好ましくは、本発明に係る７枚式広角レンズは、下記関係式を満たす。０．６＜ＤＴ６２／ＤＴ７２＜１、式中、ＤＴ６２は、第６レンズの像側面の有効半径であり；ＤＴ７２は、第７レンズの像側面の有効半径である。
【００３７】
上式の値が大きすぎるとシステムの小型化に不利となり、小さすぎると組立に不利となる。該値は、レンズの寸法と加工性を効果的にバランスがとれる。
【発明の効果】
【００３８】
本発明の有益な効果としては、７枚レンズに対し合理的な屈折力を分配すると、最大視野角が得られ；合理的な設計パラメータ及び設計パラメータ間のマッチ関係を通じて、高解像度及び高い結像品質を保証すると同時に、小型化設計を実現し；なお本発明を用いると、良好な加工性を実現できる。本発明は、更にプラスチック非球面の応用と結合することに適し、コストの削減に有利となる。ガラスレンズ及びプラスチックレンズの混合設計を結合すると、良好な環境信頼性を実現できる。
【図面の簡単な説明】
【００３９】
【図１】実施例１に係る７枚式広角レンズの構造を示す模式図である。
【図２】実施例１に係る７枚式広角レンズの軸上色収差図である。
【図３】実施例１に係る７枚式広角レンズの非点収差図である。
【図４】実施例１に係る７枚式広角レンズの倍率色収差図である。
【図５】実施例２に係る７枚式広角レンズの構造を示す模式図である。
【図６】実施例２に係る７枚式広角レンズの軸上色収差図である。
【図７】実施例２に係る７枚式広角レンズの非点収差図である。
【図８】実施例２に係る７枚式広角レンズの倍率色収差図である。
【図９】実施例３に係る７枚式広角レンズの構造を示す模式図である。
【図１０】実施例３に係る７枚式広角レンズの軸上色収差図である。
【図１１】実施例３に係る７枚式広角レンズの非点収差図である。
【図１２】実施例３に係る７枚式広角レンズの倍率色収差図である。
【図１３】実施例４に係る７枚式広角レンズの構造を示す模式図である。
【図１４】実施例４に係る７枚式広角レンズの軸上色収差図である
【図１５】実施例４に係る７枚式広角レンズの非点収差図である。
【図１６】実施例４に係る７枚式広角レンズの倍率色収差図である。
【図１７】実施例５に係る７枚式広角レンズの構造を示す模式図である。
【図１８】実施例５に係る７枚式広角レンズの軸上色収差図である。
【図１９】実施例５に係る７枚式広角レンズの非点収差図である。
【図２０】実施例５に係る７枚式広角レンズの倍率色収差図である。
【図２１】実施例６に係る７枚式広角レンズの構造を示す模式図である。
【図２２】実施例６に係る７枚式広角レンズの軸上色収差図である。
【図２３】実施例６に係る７枚式広角レンズの非点収差図である。
【図２４】実施例６に係る７枚式広角レンズの倍率色収差図である。
【図２５】実施例７に係る７枚式広角レンズの構造を示す模式図である。
【図２６】実施例７に係る７枚式広角レンズの軸上色収差図である。
【図２７】実施例７に係る７枚式広角レンズの非点収差図である。
【図２８】実施例７に係る７枚式広角レンズの倍率色収差図である。
【図２９】実施例８に係る７枚式広角レンズの構造を示す模式図である。
【図３０】実施例８に係る７枚式広角レンズの軸上色収差図である。
【図３１】実施例８に係る７枚式広角レンズの非点収差図である。
【図３２】実施例８に係る７枚式広角レンズの倍率色収差図である。
【図３３】実施例９に係る７枚式広角レンズの構造を示す模式図である。
【図３４】実施例９に係る７枚式広角レンズの軸上色収差図である。
【図３５】実施例９に係る７枚式広角レンズの非点収差図である。
【図３６】実施例９に係る７枚式広角レンズの倍率色収差図である。
【図３７】実施例１０に係る７枚式広角レンズの構造を示す模式図である。
【図３８】実施例１０に係る７枚式広角レンズの軸上色収差図である。
【図３９】実施例１０に係る７枚式広角レンズの非点収差図である。
【図４０】実施例１０に係る７枚式広角レンズの倍率色収差図である。
【図４１】実施例１１に係る７枚式広角レンズの構造を示す模式図である。
【図４２】実施例１１に係る７枚式広角レンズの軸上色収差図である。
【図４３】実施例１１に係る７枚式広角レンズの非点収差図である。
【図４４】実施例１１に係る７枚式広角レンズの倍率色収差図である。
【図４５】実施例１２に係る７枚式広角レンズの構造を示す模式図である。
【図４６】実施例１２に係る７枚式広角レンズの軸上色収差図である。
【図４７】実施例１２に係る７枚式広角レンズの非点収差図である。
【図４８】実施例１２に係る７枚式広角レンズの倍率色収差図である。
【図４９】実施例１３に係る７枚式広角レンズの構造を示す模式図である。
【図５０】実施例１３に係る７枚式広角レンズの軸上色収差図である。
【図５１】実施例１３に係る７枚式広角レンズの非点収差図である。
【図５２】実施例１３に係る７枚式広角レンズの倍率色収差図である。
【図５３】実施例１４に係る７枚式広角レンズの構造を示す模式図である。
【図５４】実施例１４に係る７枚式広角レンズの軸上色収差図である。
【図５５】実施例１４に係る７枚式広角レンズの非点収差図である。
【図５６】実施例１４に係る７枚式広角レンズの倍率色収差図である。
【図５７】実施例１５に係る７枚式広角レンズの構造を示す模式図である。
【図５８】実施例１５に係る７枚式広角レンズの軸上色収差図である。
【図５９】実施例１５に係る７枚式広角レンズの非点収差図である。
【図６０】実施例１５に係る７枚式広角レンズの倍率色収差図である。
【図６１】実施例１６に係る７枚式広角レンズの構造を示す模式図である。
【図６２】実施例１６に係る７枚式広角レンズの軸上色収差図である。
【図６３】実施例１６に係る７枚式広角レンズの非点収差図である。
【図６４】実施例１６に係る７枚式広角レンズの倍率色収差図である。
【図６５】実施例１７に係る７枚式広角レンズの構造を示す模式図である。
【図６６】実施例１７に係る７枚式広角レンズの軸上色収差図である。
【図６７】実施例１７に係る７枚式広角レンズの非点収差図である。
【図６８】実施例１７に係る７枚式広角レンズの倍率色収差図である。
【発明を実施するための形態】
【００４０】
次に添付図面と実施例を組み合わせて本発明を更に説明する。
実施例１：
図１を参照すると、本実施例に係る７枚式広角レンズは、光軸に沿って物体側から像側へと順次に、負の屈折力を有する第１レンズＬ１、負の屈折力を有する第２レンズＬ２、正の屈折力を有する第３レンズＬ３、正の屈折力を有する第４レンズＬ４、負の屈折力を有する第５レンズＬ５、正の屈折力を有し、なおその像側面が凸面である第６レンズＬ６、負の屈折力を有する第７レンズＬ７、フィルターＬ８が配列されている。第１レンズＬ１は、物体側面Ｓ１と像側面Ｓ２とを有し、第２レンズＬ２が物体側面Ｓ３と像側面Ｓ４とを有し、第３レンズＬ３が物体側面Ｓ５と像側面Ｓ６とを有し、第４レンズＬ４が物体側面Ｓ７と像側面Ｓ８とを有し、第５レンズＬ５が物体側面Ｓ９と像側面Ｓ１０とを有し、第６レンズＬ６が物体側面Ｓ１１と像側面Ｓ１２とを有し、第７レンズＬ７が物体側面Ｓ１３と像側面Ｓ１４とを有し、フィルターＬ８が物体側面Ｓ１５と像側面Ｓ１６とを有する。本実施例に係る７枚式広角レンズの結像面Ｓ１７は、フィルターＬ８の像側に位置し、感光性素子を取り付けるために用いられることができる。
【００４１】
本実施例に係る７枚式広角レンズの主要設計パラメータを、下表にまとめた。
0006626515.tif 000002
ここで、ＣＴ３は、第３レンズの光軸上の中心厚であり；ＣＴ５は、第５レンズの光軸上の中心厚であり；ＣＴ６は、第６レンズの光軸上の中心厚であり；ＴＴＬは、第１レンズ物体側面から撮影用広角レンズの結像面までの軸上距離であり；ΣＴは、第１レンズから第７レンズまで任意の隣接する両レンズ間の軸上の間隔距離の総和であり；ＩｍｇＨは、結像面における有効画素領域の対角線の長さの半分であり；ＤＴ３１は、第３レンズ物体側面の有効半径であり；ＤＴ６２は、第６レンズ像側面の有効半径である。
【００４２】
上記設計パラメータを実現するため、本実施例に係る７枚式広角レンズに用いる具体的な設計を下表にまとめた。
0006626515.tif 000003
本実施例に係る７枚式広角レンズにおける非球面レンズの高次非球面係数（Ａ４、Ａ６、Ａ８、Ａ１０、Ａ１２）を下表にまとめた。
0006626515.tif 000004
本実施例に係る７枚式広角レンズは、図２、図３、図４に示すように、１１０°超広角を実現する基礎において、軸外収差、エッジ部像面の明るさ、歪曲等に対し比較的良好な補正を行い、なお小型化を実現すると同時に良好な加工性を維持した。
実施例２：
図５を参照すると、本実施例に係る７枚式広角レンズは、光軸に沿って物体側から像側へと順次に、負の屈折力を有する第１レンズＬ１、負の屈折力を有する第２レンズＬ２、正の屈折力を有する第３レンズＬ３、正の屈折力を有する第４レンズＬ４、負の屈折力を有する第５レンズＬ５、正の屈折力を有し、なおその像側面が凸面である第６レンズＬ６、負の屈折力を有する第７レンズＬ７、フィルターＬ８が配列されている。第１レンズＬ１は、物体側面Ｓ１と像側面Ｓ２とを有し、第２レンズＬ２が物体側面Ｓ３と像側面Ｓ４とを有し、第３レンズＬ３が物体側面Ｓ５と像側面Ｓ６とを有し、第４レンズＬ４が物体側面Ｓ７と像側面Ｓ８とを有し、第５レンズＬ５が物体側面Ｓ９と像側面Ｓ１０とを有し、第６レンズＬ６が物体側面Ｓ１１と像側面Ｓ１２とを有し、第７レンズＬ７が物体側面Ｓ１３と像側面Ｓ１４とを有し、フィルターＬ８が物体側面Ｓ１５と像側面Ｓ１６とを有する。本実施例に係る７枚式広角レンズの結像面Ｓ１７は、フィルターＬ８の像側に位置し、感光性素子を取り付けるために用いられることができる。
【００４３】
本実施例に係る７枚式広角レンズの主要設計パラメータを、下表にまとめた。
0006626515.tif 000005
ここで、ＣＴ３は、第３レンズの光軸上の中心厚であり；ＣＴ５は、第５レンズの光軸上の中心厚であり；ＣＴ６は、第６レンズの光軸上の中心厚であり；ＴＴＬは、第１レンズ物体側面から撮影用広角レンズの結像面までの軸上距離であり；ΣＴは、第１レンズから第７レンズまで任意の隣接する両レンズ間の軸上の間隔距離の総和であり；ＩｍｇＨは、結像面における有効画素領域の対角線の長さの半分であり；ＤＴ３１は、第３レンズ物体側面の有効半径であり；ＤＴ６２は、第６レンズ像側面の有効半径である。
【００４４】
上記設計パラメータを実現するため、本実施例に係る７枚式広角レンズに用いる具体的な設計を下表にまとめた。
0006626515.tif 000006
本実施例に係る７枚式広角レンズにおける非球面レンズの高次非球面係数（Ａ４、Ａ６、Ａ８、Ａ１０、Ａ１２）を下表にまとめた。
0006626515.tif 000007
本実施例に係る７枚式広角レンズは、図６、図７、図８に示すように、１１０°超広角を実現する基礎において、軸外収差、エッジ部像面の明るさ、歪曲等に対し比較的良好な補正を行い、なお小型化を実現すると同時に良好な加工性を維持した。
実施例３：
図９を参照すると、本実施例に係る７枚式広角レンズは、光軸に沿って物体側から像側へと順次に、負の屈折力を有する第１レンズＬ１、負の屈折力を有する第２レンズＬ２、負の屈折力を有する第３レンズＬ３、正の屈折力を有する第４レンズＬ４、負の屈折力を有する第５レンズＬ５、正の屈折力を有し、なおその像側面が凸面である第６レンズＬ６、負の屈折力を有する第７レンズＬ７、フィルターＬ８が配列されている。第１レンズＬ１は、物体側面Ｓ１と像側面Ｓ２とを有し、第２レンズＬ２が物体側面Ｓ３と像側面Ｓ４とを有し、第３レンズＬ３が物体側面Ｓ５と像側面Ｓ６とを有し、第４レンズＬ４が物体側面Ｓ７と像側面Ｓ８とを有し、第５レンズＬ５が物体側面Ｓ９と像側面Ｓ１０とを有し、第６レンズＬ６が物体側面Ｓ１１と像側面Ｓ１２とを有し、第７レンズＬ７が物体側面Ｓ１３と像側面Ｓ１４とを有し、フィルターＬ８が物体側面Ｓ１５と像側面Ｓ１６とを有する。本実施例に係る７枚式広角レンズの結像面Ｓ１７は、フィルターＬ８の像側に位置し、感光性素子を取り付けるために用いられることができる。
【００４５】
本実施例に係る７枚式広角レンズの主要設計パラメータを、下表にまとめた。
0006626515.tif 000008
ここで、ＣＴ３は、第３レンズの光軸上の中心厚であり；ＣＴ５は、第５レンズの光軸上の中心厚であり；ＣＴ６は、第６レンズの光軸上の中心厚であり；ＴＴＬは、第１レンズ物体側面から撮影用広角レンズの結像面までの軸上距離であり；ΣＴは、第１レンズから第７レンズまで任意の隣接する両レンズ間の軸上の間隔距離の総和であり；ＩｍｇＨは、結像面における有効画素領域の対角線の長さの半分であり；ＤＴ３１は、第３レンズ物体側面の有効半径であり；ＤＴ６２は、第６レンズ像側面の有効半径である。
【００４６】
上記設計パラメータを実現するため、本実施例に係る７枚式広角レンズに用いる具体的な設計を下表にまとめた。
0006626515.tif 000009
本実施例に係る７枚式広角レンズにおける非球面レンズの高次非球面係数（Ａ４、Ａ６、Ａ８、Ａ１０、Ａ１２）を下表にまとめた。
0006626515.tif 000010
本実施例に係る７枚式広角レンズは、図１０、図１１、図１２に示すように、１１０°超広角を実現する基礎において、軸外収差、エッジ部像面の明るさ、歪曲等に対し比較的良好な補正を行い、なお小型化を実現すると同時に良好な加工性を維持した。
実施例４：
図１３を参照すると、本実施例に係る７枚式広角レンズは、光軸に沿って物体側から像側へと順次に、負の屈折力を有する第１レンズＬ１、負の屈折力を有する第２レンズＬ２、正の屈折力を有する第３レンズＬ３、正の屈折力を有する第４レンズＬ４、負の屈折力を有する第５レンズＬ５、正の屈折力を有し、なおその像側面が凸面である第６レンズＬ６、負の屈折力を有する第７レンズＬ７、フィルターＬ８が配列されている。第１レンズＬ１は、物体側面Ｓ１と像側面Ｓ２とを有し、第２レンズＬ２が物体側面Ｓ３と像側面Ｓ４とを有し、第３レンズＬ３が物体側面Ｓ５と像側面Ｓ６とを有し、第４レンズＬ４が物体側面Ｓ７と像側面Ｓ８とを有し、第５レンズＬ５が物体側面Ｓ９と像側面Ｓ１０とを有し、第６レンズＬ６が物体側面Ｓ１１と像側面Ｓ１２とを有し、第７レンズＬ７が物体側面Ｓ１３と像側面Ｓ１４とを有し、フィルターＬ８が物体側面Ｓ１５と像側面Ｓ１６とを有する。本実施例に係る７枚式広角レンズの結像面Ｓ１７は、フィルターＬ８の像側に位置し、感光性素子を取り付けるために用いられることができる。
【００４７】
本実施例に係る７枚式広角レンズの主要設計パラメータを、下表にまとめた。
0006626515.tif 000011
ここで、ＣＴ３は、第３レンズの光軸上の中心厚であり；ＣＴ５は、第５レンズの光軸上の中心厚であり；ＣＴ６は、第６レンズの光軸上の中心厚であり；ＴＴＬは、第１レンズ物体側面から撮影用広角レンズの結像面までの軸上距離であり；ΣＴは、第１レンズから第７レンズまで任意の隣接する両レンズ間の軸上の間隔距離の総和であり；ＩｍｇＨは、結像面における有効画素領域の対角線の長さの半分であり；ＤＴ３１は、第３レンズ物体側面の有効半径であり；ＤＴ６２は、第６レンズ像側面の有効半径である。
【００４８】
上記設計パラメータを実現するため、本実施例に係る７枚式広角レンズに用いる具体的な設計を下表にまとめた。
0006626515.tif 000012
本実施例に係る７枚式広角レンズにおける非球面レンズの高次非球面係数（Ａ４、Ａ６、Ａ８、Ａ１０、Ａ１２）を下表にまとめた。
0006626515.tif 000013
本実施例に係る７枚式広角レンズは、図１４、図１５、図１６に示すように、１１０°超広角を実現する基礎において、軸外収差、エッジ部像面の明るさ、歪曲等に対し比較的良好な補正を行い、なお小型化を実現すると同時に良好な加工性を維持した。
実施例５：
図１７を参照すると、本実施例に係る７枚式広角レンズは、光軸に沿って物体側から像側へと順次に、負の屈折力を有する第１レンズＬ１、負の屈折力を有する第２レンズＬ２、正の屈折力を有する第３レンズＬ３、正の屈折力を有する第４レンズＬ４、負の屈折力を有する第５レンズＬ５、正の屈折力を有し、なおその像側面が凸面である第６レンズＬ６、負の屈折力を有する第７レンズＬ７、フィルターＬ８が配列されている。第１レンズＬ１は、物体側面Ｓ１と像側面Ｓ２とを有し、第２レンズＬ２が物体側面Ｓ３と像側面Ｓ４とを有し、第３レンズＬ３が物体側面Ｓ５と像側面Ｓ６とを有し、第４レンズＬ４が物体側面Ｓ７と像側面Ｓ８とを有し、第５レンズＬ５が像側面Ｓ９を有し、その物体側面が第４レンズＬ４の像側面Ｓ８と互いに重なり、第６レンズＬ６が物体側面Ｓ１０と像側面Ｓ１１とを有し、第７レンズＬ７が物体側面Ｓ１２と像側面Ｓ１３とを有し、フィルターＬ８が物体側面Ｓ１４と像側面Ｓ１５とを有する。本実施例に係る７枚式広角レンズの結像面Ｓ１６は、フィルターＬ８の像側に位置し、感光性素子を取り付けるために用いられることができる。
【００４９】
本実施例に係る７枚式広角レンズの主要設計パラメータを、下表にまとめた。
0006626515.tif 000014
ここで、ＣＴ３は、第３レンズの光軸上の中心厚であり；ＣＴ５は、第５レンズの光軸上の中心厚であり；ＣＴ６は、第６レンズの光軸上の中心厚であり；ＴＴＬは、第１レンズ物体側面から撮影用広角レンズの結像面までの軸上距離であり；ΣＴは、第１レンズから第７レンズまで任意の隣接する両レンズ間の軸上の間隔距離の総和であり；ＩｍｇＨは、結像面における有効画素領域の対角線の長さの半分であり；ＤＴ３１は、第３レンズ物体側面の有効半径であり；ＤＴ６２は、第６レンズ像側面の有効半径である。
【００５０】
上記設計パラメータを実現するため、本実施例に係る７枚式広角レンズに用いる具体的な設計を下表にまとめた。
0006626515.tif 000015
本実施例に係る７枚式広角レンズにおける非球面レンズの高次非球面係数（Ａ４、Ａ６、Ａ８、Ａ１０、Ａ１２）を下表にまとめた。
0006626515.tif 000016
本実施例に係る７枚式広角レンズは、図１８、図１９、図２０に示すように、１１０°超広角を実現する基礎において、軸外収差、エッジ部像面の明るさ、歪曲等に対し比較的良好な補正を行い、なお小型化を実現すると同時に良好な加工性を維持した。
実施例６：
図２１を参照すると、本実施例に係る７枚式広角レンズは、光軸に沿って物体側から像側へと順次に、負の屈折力を有する第１レンズＬ１、負の屈折力を有する第２レンズＬ２、負の屈折力を有する第３レンズＬ３、正の屈折力を有する第４レンズＬ４、負の屈折力を有する第５レンズＬ５、正の屈折力を有し、なおその像側面が凸面である第６レンズＬ６、負の屈折力を有する第７レンズＬ７、フィルターＬ８が配列されている。第１レンズＬ１は、物体側面Ｓ１と像側面Ｓ２とを有し、第２レンズＬ２が物体側面Ｓ３と像側面Ｓ４とを有し、第３レンズＬ３が物体側面Ｓ５と像側面Ｓ６とを有し、第４レンズＬ４が物体側面Ｓ７と像側面Ｓ８とを有し、第５レンズＬ５が物体側面Ｓ９と像側面Ｓ１０とを有し、第６レンズＬ６が物体側面Ｓ１１と像側面Ｓ１２とを有し、第７レンズＬ７が物体側面Ｓ１３と像側面Ｓ１４とを有し、フィルターＬ８が物体側面Ｓ１５と像側面Ｓ１６とを有する。本実施例に係る７枚式広角レンズの結像面Ｓ１７は、フィルターＬ８の像側に位置し、感光性素子を取り付けるために用いられることができる。
【００５１】
本実施例に係る７枚式広角レンズの主要設計パラメータを、下表にまとめた。
0006626515.tif 000017
ここで、ＣＴ３は、第３レンズの光軸上の中心厚であり；ＣＴ５は、第５レンズの光軸上の中心厚であり；ＣＴ６は、第６レンズの光軸上の中心厚であり；ＴＴＬは、第１レンズ物体側面から撮影用広角レンズの結像面までの軸上距離であり；ΣＴは、第１レンズから第７レンズまで任意の隣接する両レンズ間の軸上の間隔距離の総和であり；ＩｍｇＨは、結像面における有効画素領域の対角線の長さの半分であり；ＤＴ３１は、第３レンズ物体側面の有効半径であり；ＤＴ６２は、第６レンズ像側面の有効半径である。
【００５２】
上記設計パラメータを実現するため、本実施例に係る７枚式広角レンズに用いる具体的な設計を下表にまとめた。
0006626515.tif 000018
本実施例に係る７枚式広角レンズにおける非球面レンズの高次非球面係数（Ａ４、Ａ６、Ａ８、Ａ１０、Ａ１２）を下表にまとめた。
0006626515.tif 000019
本実施例に係る７枚式広角レンズは、図２２、図２３、図２４に示すように、１１０°超広角を実現する基礎において、軸外収差、エッジ部像面の明るさ、歪曲等に対し比較的良好な補正を行い、なお小型化を実現すると同時に良好な加工性を維持した。
実施例７：
図２５を参照すると、本実施例に係る７枚式広角レンズは、光軸に沿って物体側から像側へと順次に、負の屈折力を有する第１レンズＬ１、負の屈折力を有する第２レンズＬ２、正の屈折力を有する第３レンズＬ３、正の屈折力を有する第４レンズＬ４、負の屈折力を有する第５レンズＬ５、正の屈折力を有し、なおその像側面が凸面である第６レンズＬ６、負の屈折力を有する第７レンズＬ７、フィルターＬ８が配列されている。第１レンズＬ１は、物体側面Ｓ１と像側面Ｓ２とを有し、第２レンズＬ２が物体側面Ｓ３と像側面Ｓ４とを有し、第３レンズＬ３が物体側面Ｓ５と像側面Ｓ６とを有し、第４レンズＬ４が物体側面Ｓ７と像側面Ｓ８とを有し、第５レンズＬ５が物体側面Ｓ９と像側面Ｓ１０とを有し、第６レンズＬ６が物体側面Ｓ１１と像側面Ｓ１２とを有し、第７レンズＬ７が物体側面Ｓ１３と像側面Ｓ１４とを有し、フィルターＬ８が物体側面Ｓ１５と像側面Ｓ１６とを有する。本実施例に係る７枚式広角レンズの結像面Ｓ１７は、フィルターＬ８の像側に位置し、感光性素子を取り付けるために用いられることができる。
【００５３】
本実施例に係る７枚式広角レンズの主要設計パラメータを、下表にまとめた。
0006626515.tif 000020
ここで、ＣＴ３は、第３レンズの光軸上の中心厚であり；ＣＴ５は、第５レンズの光軸上の中心厚であり；ＣＴ６は、第６レンズの光軸上の中心厚であり；ＴＴＬは、第１レンズ物体側面から撮影用広角レンズの結像面までの軸上距離であり；ΣＴは、第１レンズから第７レンズまで任意の隣接する両レンズ間の軸上の間隔距離の総和であり；ＩｍｇＨは、結像面における有効画素領域の対角線の長さの半分であり；ＤＴ３１は、第３レンズ物体側面の有効半径であり；ＤＴ６２は、第６レンズ像側面の有効半径である。
【００５４】
上記設計パラメータを実現するため、本実施例に係る７枚式広角レンズに用いる具体的な設計を下表にまとめた。
0006626515.tif 000021
本実施例に係る７枚式広角レンズにおける非球面レンズの高次非球面係数（Ａ４、Ａ６、Ａ８、Ａ１０、Ａ１２）を下表にまとめた。
0006626515.tif 000022
本実施例に係る７枚式広角レンズは、図２６、図２７、図２８に示すように、１１０°超広角を実現する基礎において、軸外収差、エッジ部像面の明るさ、歪曲等に対し比較的良好な補正を行い、なお小型化を実現すると同時に良好な加工性を維持した。
実施例８：
図２９を参照すると、本実施例に係る７枚式広角レンズは、光軸に沿って物体側から像側へと順次に、負の屈折力を有する第１レンズＬ１、負の屈折力を有する第２レンズＬ２、正の屈折力を有する第３レンズＬ３、正の屈折力を有する第４レンズＬ４、負の屈折力を有する第５レンズＬ５、正の屈折力を有し、なおその像側面が凸面である第６レンズＬ６、負の屈折力を有する第７レンズＬ７、フィルターＬ８が配列されている。第１レンズＬ１は、物体側面Ｓ１と像側面Ｓ２とを有し、第２レンズＬ２が物体側面Ｓ３と像側面Ｓ４とを有し、第３レンズＬ３が物体側面Ｓ５と像側面Ｓ６とを有し、第４レンズＬ４が物体側面Ｓ７と像側面Ｓ８とを有し、第５レンズＬ５が物体側面Ｓ９と像側面Ｓ１０とを有し、第６レンズＬ６が物体側面Ｓ１１と像側面Ｓ１２とを有し、第７レンズＬ７が物体側面Ｓ１３と像側面Ｓ１４とを有し、フィルターＬ８が物体側面Ｓ１５と像側面Ｓ１６とを有する。本実施例に係る７枚式広角レンズの結像面Ｓ１７は、フィルターＬ８の像側に位置し、感光性素子を取り付けるために用いられることができる。
【００５５】
本実施例に係る７枚式広角レンズの主要設計パラメータを、下表にまとめた。
0006626515.tif 000023
ここで、ＣＴ３は、第３レンズの光軸上の中心厚であり；ＣＴ５は、第５レンズの光軸上の中心厚であり；ＣＴ６は、第６レンズの光軸上の中心厚であり；ＴＴＬは、第１レンズ物体側面から撮影用広角レンズの結像面までの軸上距離であり；ΣＴは、第１レンズから第７レンズまで任意の隣接する両レンズ間の軸上の間隔距離の総和であり；ＩｍｇＨは、結像面における有効画素領域の対角線の長さの半分であり；ＤＴ３１は、第３レンズ物体側面の有効半径であり；ＤＴ６２は、第６レンズ像側面の有効半径である。
【００５６】
上記設計パラメータを実現するため、本実施例に係る７枚式広角レンズに用いる具体的な設計を下表にまとめた。
0006626515.tif 000024
本実施例に係る７枚式広角レンズにおける非球面レンズの高次非球面係数（Ａ４、Ａ６、Ａ８、Ａ１０、Ａ１２）を下表にまとめた。
0006626515.tif 000025
本実施例に係る７枚式広角レンズは、図３０、図３１、図３２に示すように、１１０°超広角を実現する基礎において、軸外収差、エッジ部像面の明るさ、歪曲等に対し比較的良好な補正を行い、なお小型化を実現すると同時に良好な加工性を維持した。
実施例９：
図３３を参照すると、本実施例に係る７枚式広角レンズは、光軸に沿って物体側から像側へと順次に、負の屈折力を有する第１レンズＬ１、負の屈折力を有する第２レンズＬ２、正の屈折力を有する第３レンズＬ３、正の屈折力を有する第４レンズＬ４、正の屈折力を有し、なおその像側面が凸面である第５レンズＬ５、負の屈折力を有し、なおその物体側面と像側面が凹面である第６レンズＬ６、正の屈折力を有する第７レンズＬ７、フィルターＬ８が配列されている。
【００５７】
第１レンズＬ１は、物体側面Ｓ１と像側面Ｓ２とを有し、第２レンズＬ２が物体側面Ｓ３と像側面Ｓ４とを有し、第３レンズＬ３が物体側面Ｓ５と像側面Ｓ６とを有し、第４レンズＬ４が物体側面Ｓ７と像側面Ｓ８とを有し、第５レンズＬ５が物体側面Ｓ９と像側面Ｓ１０とを有し、第６レンズＬ６が物体側面Ｓ１１と像側面Ｓ１２とを有し、第７レンズＬ７が物体側面Ｓ１３と像側面Ｓ１４とを有し、フィルターＬ８が物体側面Ｓ１５と像側面Ｓ１６とを有する。本実施例に係る７枚式広角レンズの結像面Ｓ１７は、フィルターＬ８の像側に位置し、感光性素子を取り付けるために用いられることができる。
【００５８】
本実施例に係る７枚式広角レンズの主要設計パラメータを、下表にまとめた。
0006626515.tif 000026
ここで、ＣＴ３は、第３レンズの光軸上の中心厚であり；ＴＴＬは、第１レンズ物体側面から撮影用広角レンズの結像面までの軸上距離であり；ΣＴは、第１レンズから第７レンズまで任意の隣接する両レンズ間の軸上の間隔距離の総和であり；ＩｍｇＨは、結像面における有効画素領域の対角線の長さの半分であり；Ｒ１０は、第５レンズの像側面の曲率半径であり；Ｒ１１は、第６レンズの物体側面の曲率半径であり；ＤＴ６２は、第６レンズ像側面の有効半径であり；ＤＴ７２は、第７レンズ像側面の有効半径である。
【００５９】
上記設計パラメータを実現するため、本実施例に係る７枚式広角レンズに用いる具体的な設計を下表にまとめた。
0006626515.tif 000027
本実施例に係る７枚式広角レンズにおける非球面レンズの高次非球面係数（Ａ４、Ａ６、Ａ８、Ａ１０、Ａ１２）を下表にまとめた。
0006626515.tif 000028
本実施例に係る７枚式広角レンズは、図３４、図３５、図３６に示すように、１１０°超広角を実現する基礎において、軸外収差、エッジ部像面の明るさ、歪曲等に対し比較的良好な補正を行い、なお小型化を実現すると同時に良好な加工性を維持した。
実施例１０：
図３７を参照すると、本実施例に係る７枚式広角レンズは、光軸に沿って物体側から像側へと順次に、負の屈折力を有する第１レンズＬ１、負の屈折力を有する第２レンズＬ２、正の屈折力を有する第３レンズＬ３、正の屈折力を有する第４レンズＬ４、正の屈折力を有し、なおその像側面が凸面である第５レンズＬ５、負の屈折力を有し、なおその物体側面と像側面が凹面である第６レンズＬ６、正の屈折力を有する第７レンズＬ７、フィルターＬ８が配列されている。第１レンズＬ１は、物体側面Ｓ１と像側面Ｓ２とを有し、第２レンズＬ２が物体側面Ｓ３と像側面Ｓ４とを有し、第３レンズＬ３が物体側面Ｓ５と像側面Ｓ６とを有し、第４レンズＬ４が物体側面Ｓ７と像側面Ｓ８とを有し、第５レンズＬ５が物体側面Ｓ９と像側面Ｓ１０とを有し、第６レンズＬ６が物体側面Ｓ１１と像側面Ｓ１２とを有し、第７レンズＬ７が物体側面Ｓ１３と像側面Ｓ１４とを有し、フィルターＬ８が物体側面Ｓ１５と像側面Ｓ１６とを有する。本実施例に係る７枚式広角レンズの結像面Ｓ１７は、フィルターＬ８の像側に位置し、感光性素子を取り付けるために用いられることができる。
【００６０】
本実施例に係る７枚式広角レンズの主要設計パラメータを、下表にまとめた。
0006626515.tif 000029
ここで、ＣＴ３は、第３レンズの光軸上の中心厚であり；ＴＴＬは、第１レンズ物体側面から撮影用広角レンズの結像面までの軸上距離であり；ΣＴは、第１レンズから第７レンズまで任意の隣接する両レンズ間の軸上の間隔距離の総和であり；ＩｍｇＨは、結像面における有効画素領域の対角線の長さの半分であり；Ｒ１０は、第５レンズの像側面の曲率半径であり；Ｒ１１は、第６レンズの物体側面の曲率半径であり；ＤＴ６２は、第６レンズ像側面の有効半径であり；ＤＴ７２は、第７レンズ像側面の有効半径である。
【００６１】
上記設計パラメータを実現するため、本実施例に係る７枚式広角レンズに用いる具体的な設計を下表にまとめた。
0006626515.tif 000030
本実施例に係る７枚式広角レンズにおける非球面レンズの高次非球面係数（Ａ４、Ａ６、Ａ８、Ａ１０）を下表にまとめた。
0006626515.tif 000031
本実施例に係る７枚式広角レンズは、図３８、図３９、図４０に示すように、１１０°超広角を実現する基礎において、軸外収差、エッジ部像面の明るさ、歪曲等に対し比較的良好な補正を行い、なお小型化を実現すると同時に良好な加工性を維持した。
実施例１１：
図４１を参照すると、本実施例に係る７枚式広角レンズは、光軸に沿って物体側から像側へと順次に、負の屈折力を有する第１レンズＬ１、負の屈折力を有する第２レンズＬ２、正の屈折力を有する第３レンズＬ３、正の屈折力を有する第４レンズＬ４、正の屈折力を有し、なおその像側面が凸面である第５レンズＬ５、負の屈折力を有し、なおその物体側面と像側面が凹面である第６レンズＬ６、正の屈折力を有する第７レンズＬ７、フィルターＬ８が配列されている。第１レンズＬ１は、物体側面Ｓ１と像側面Ｓ２とを有し、第２レンズＬ２が物体側面Ｓ３と像側面Ｓ４とを有し、第３レンズＬ３が物体側面Ｓ５と像側面Ｓ６とを有し、第４レンズＬ４が物体側面Ｓ７と像側面Ｓ８とを有し、第５レンズＬ５が物体側面Ｓ９と像側面Ｓ１０とを有し、第６レンズＬ６が物体側面Ｓ１１と像側面Ｓ１２とを有し、第７レンズＬ７が物体側面Ｓ１３と像側面Ｓ１４とを有し、フィルターＬ８が物体側面Ｓ１５と像側面Ｓ１６とを有する。本実施例に係る７枚式広角レンズの結像面Ｓ１７は、フィルターＬ８の像側に位置し、感光性素子を取り付けるために用いられることができる。
【００６２】
本実施例に係る７枚式広角レンズの主要設計パラメータを、下表にまとめた。
0006626515.tif 000032
ここで、ＣＴ３は、第３レンズの光軸上の中心厚であり；ＴＴＬは、第１レンズ物体側面から撮影用広角レンズの結像面までの軸上距離であり；ΣＴは、第１レンズから第７レンズまで任意の隣接する両レンズ間の軸上の間隔距離の総和であり；ＩｍｇＨは、結像面における有効画素領域の対角線の長さの半分であり；Ｒ１０は、第５レンズの像側面の曲率半径であり；Ｒ１１は、第６レンズの物体側面の曲率半径であり；ＤＴ６２は、第６レンズ像側面の有効半径であり；ＤＴ７２は、第７レンズ像側面の有効半径である。
【００６３】
上記設計パラメータを実現するため、本実施例に係る７枚式広角レンズに用いる具体的な設計を下表にまとめた。
0006626515.tif 000033
本実施例に係る７枚式広角レンズにおける非球面レンズの高次非球面係数（Ａ４、Ａ６、Ａ８）を下表にまとめた。
0006626515.tif 000034
本実施例に係る７枚式広角レンズは、図４２、図４３、図４４に示すように、１１０°超広角を実現する基礎において、軸外収差、エッジ部像面の明るさ、歪曲等に対し比較的良好な補正を行い、なお小型化を実現すると同時に良好な加工性を維持した。
実施例１２：
図４５を参照すると、本実施例に係る７枚式広角レンズは、光軸に沿って物体側から像側へと順次に、負の屈折力を有する第１レンズＬ１、負の屈折力を有する第２レンズＬ２、正の屈折力を有する第３レンズＬ３、正の屈折力を有する第４レンズＬ４、正の屈折力を有し、なおその像側面が凸面である第５レンズＬ５、負の屈折力を有し、なおその物体側面と像側面が凹面である第６レンズＬ６、正の屈折力を有する第７レンズＬ７、フィルターＬ８が配列されている。第１レンズＬ１は、物体側面Ｓ１と像側面Ｓ２とを有し、第２レンズＬ２が物体側面Ｓ３と像側面Ｓ４とを有し、第３レンズＬ３が物体側面Ｓ５と像側面Ｓ６とを有し、第４レンズＬ４が物体側面Ｓ７と像側面Ｓ８とを有し、第５レンズＬ５が物体側面Ｓ９と像側面Ｓ１０とを有し、第６レンズＬ６が物体側面Ｓ１１と像側面Ｓ１２とを有し、第７レンズＬ７が物体側面Ｓ１３と像側面Ｓ１４とを有し、フィルターＬ８が物体側面Ｓ１５と像側面Ｓ１６とを有する。本実施例に係る７枚式広角レンズの結像面Ｓ１７は、フィルターＬ８の像側に位置し、感光性素子を取り付けるために用いられることができる。
【００６４】
本実施例に係る７枚式広角レンズの主要設計パラメータを、下表にまとめた。
0006626515.tif 000035
ここで、ＣＴ３は、第３レンズの光軸上の中心厚であり；ＴＴＬは、第１レンズ物体側面から撮影用広角レンズの結像面までの軸上距離であり；ΣＴは、第１レンズから第７レンズまで任意の隣接する両レンズ間の軸上の間隔距離の総和であり；ＩｍｇＨは、結像面における有効画素領域の対角線の長さの半分であり；Ｒ１０は、第５レンズの像側面の曲率半径であり；Ｒ１１は、第６レンズの物体側面の曲率半径であり；ＤＴ６２は、第６レンズ像側面の有効半径であり；ＤＴ７２は、第７レンズ像側面の有効半径である。
【００６５】
上記設計パラメータを実現するため、本実施例に係る７枚式広角レンズに用いる具体的な設計を下表にまとめた。
0006626515.tif 000036
本実施例に係る７枚式広角レンズにおける非球面レンズの高次非球面係数（Ａ４、Ａ６、Ａ８、Ａ１０）を下表にまとめた。
0006626515.tif 000037
本実施例に係る７枚式広角レンズは、図４６、図４７、図４８に示すように、１１０°超広角を実現する基礎において、軸外収差、エッジ部像面の明るさ、歪曲等に対し比較的良好な補正を行い、なお小型化を実現すると同時に良好な加工性を維持した。
実施例１３：
図４９を参照すると、本実施例に係る７枚式広角レンズは、光軸に沿って物体側から像側へと順次に、負の屈折力を有する第１レンズＬ１、負の屈折力を有する第２レンズＬ２、正の屈折力を有する第３レンズＬ３、正の屈折力を有する第４レンズＬ４、正の屈折力を有し、なおその像側面が凸面である第５レンズＬ５、負の屈折力を有し、なおその物体側面と像側面が凹面である第６レンズＬ６、正の屈折力を有する第７レンズＬ７、フィルターＬ８が配列されている。第１レンズＬ１は、物体側面Ｓ１と像側面Ｓ２とを有し、第２レンズＬ２が物体側面Ｓ３と像側面Ｓ４とを有し、第３レンズＬ３が物体側面Ｓ５と像側面Ｓ６とを有し、第４レンズＬ４が物体側面Ｓ７と像側面Ｓ８とを有し、第５レンズＬ５が物体側面Ｓ９と像側面Ｓ１０とを有し、第６レンズＬ６が物体側面Ｓ１１と像側面Ｓ１２とを有し、第７レンズＬ７が物体側面Ｓ１３と像側面Ｓ１４とを有し、フィルターＬ８が物体側面Ｓ１５と像側面Ｓ１６とを有する。本実施例に係る７枚式広角レンズの結像面Ｓ１７は、フィルターＬ８の像側に位置し、感光性素子を取り付けるために用いられることができる。
【００６６】
本実施例に係る７枚式広角レンズの主要設計パラメータを、下表にまとめた。
0006626515.tif 000038
ここで、ＣＴ３は、第３レンズの光軸上の中心厚であり；ＴＴＬは、第１レンズ物体側面から撮影用広角レンズの結像面までの軸上距離であり；ΣＴは、第１レンズから第７レンズまで任意の隣接する両レンズ間の軸上の間隔距離の総和であり；ＩｍｇＨは、結像面における有効画素領域の対角線の長さの半分であり；Ｒ１０は、第５レンズの像側面の曲率半径であり；Ｒ１１は、第６レンズの物体側面の曲率半径であり；ＤＴ６２は、第６レンズ像側面の有効半径であり；ＤＴ７２は、第７レンズ像側面の有効半径である。
【００６７】
上記設計パラメータを実現するため、本実施例に係る７枚式広角レンズに用いる具体的な設計を下表にまとめた。
0006626515.tif 000039
本実施例に係る７枚式広角レンズにおける非球面レンズの高次非球面係数（Ａ４、Ａ６、Ａ８、Ａ１０）を下表にまとめた。
0006626515.tif 000040
本実施例に係る７枚式広角レンズは、図５０、図５１、図５２に示すように、１１０°超広角を実現する基礎において、軸外収差、エッジ部像面の明るさ、歪曲等に対し比較的良好な補正を行い、なお小型化を実現すると同時に良好な加工性を維持した。。
実施例１４：
図５３を参照すると、本実施例に係る７枚式広角レンズは、光軸に沿って物体側から像側へと順次に、負の屈折力を有する第１レンズＬ１、負の屈折力を有する第２レンズＬ２、正の屈折力を有する第３レンズＬ３、正の屈折力を有する第４レンズＬ４、正の屈折力を有し、なおその像側面が凸面である第５レンズＬ５、負の屈折力を有し、なおその物体側面と像側面が凹面である第６レンズＬ６、正の屈折力を有する第７レンズＬ７、フィルターＬ８が配列されている。第１レンズＬ１は、物体側面Ｓ１と像側面Ｓ２とを有し、第２レンズＬ２が物体側面Ｓ３と像側面Ｓ４とを有し、第３レンズＬ３が物体側面Ｓ５と像側面Ｓ６とを有し、第４レンズＬ４が物体側面Ｓ７と像側面Ｓ８とを有し、第５レンズＬ５が物体側面Ｓ９と像側面Ｓ１０とを有し、第６レンズＬ６が物体側面Ｓ１１と像側面Ｓ１２とを有し、第７レンズＬ７が物体側面Ｓ１３と像側面Ｓ１４とを有し、フィルターＬ８が物体側面Ｓ１５と像側面Ｓ１６とを有する。本実施例に係る７枚式広角レンズの結像面Ｓ１７は、フィルターＬ８の像側に位置し、感光性素子を取り付けるために用いられることができる。
【００６８】
本実施例に係る７枚式広角レンズの主要設計パラメータを、下表にまとめた。
0006626515.tif 000041
ここで、ＣＴ３は、第３レンズの光軸上の中心厚であり；ＴＴＬは、第１レンズ物体側面から撮影用広角レンズの結像面までの軸上距離であり；ΣＴは、第１レンズから第７レンズまで任意の隣接する両レンズ間の軸上の間隔距離の総和であり；ＩｍｇＨは、結像面における有効画素領域の対角線の長さの半分であり；Ｒ１０は、第５レンズの像側面の曲率半径であり；Ｒ１１は、第６レンズの物体側面の曲率半径であり；ＤＴ６２は、第６レンズ像側面の有効半径であり；ＤＴ７２は、第７レンズ像側面の有効半径である。
【００６９】
上記設計パラメータを実現するため、本実施例に係る７枚式広角レンズに用いる具体的な設計を下表にまとめた。
0006626515.tif 000042
本実施例に係る７枚式広角レンズにおける非球面レンズの高次非球面係数（Ａ４、Ａ６、Ａ８、Ａ１０）を下表にまとめた。
0006626515.tif 000043
本実施例に係る７枚式広角レンズは、図５４、図５５、図５６に示すように、１１０°超広角を実現する基礎において、軸外収差、エッジ部像面の明るさ、歪曲等に対し比較的良好な補正を行い、なお小型化を実現すると同時に良好な加工性を維持した。
実施例１５：
図５７を参照すると、本実施例に係る７枚式広角レンズは、光軸に沿って物体側から像側へと順次に、負の屈折力を有する第１レンズＬ１、負の屈折力を有する第２レンズＬ２、正の屈折力を有する第３レンズＬ３、正の屈折力を有する第４レンズＬ４、正の屈折力を有し、なおその像側面が凸面である第５レンズＬ５、負の屈折力を有し、なおその物体側面と像側面が凹面である第６レンズＬ６、正の屈折力を有する第７レンズＬ７、フィルターＬ８が配列されている。第１レンズＬ１は、物体側面Ｓ１と像側面Ｓ２とを有し、第２レンズＬ２が物体側面Ｓ３と像側面Ｓ４とを有し、第３レンズＬ３が物体側面Ｓ５と像側面Ｓ６とを有し、第４レンズＬ４が物体側面Ｓ７と像側面Ｓ８とを有し、第５レンズＬ５が物体側面Ｓ９と像側面Ｓ１０とを有し、第６レンズＬ６が物体側面Ｓ１１と像側面Ｓ１２とを有し、第７レンズＬ７が物体側面Ｓ１３と像側面Ｓ１４とを有し、フィルターＬ８が物体側面Ｓ１５と像側面Ｓ１６とを有する。本実施例に係る７枚式広角レンズの結像面Ｓ１７は、フィルターＬ８の像側に位置し、感光性素子を取り付けるために用いられることができる。
【００７０】
本実施例に係る７枚式広角レンズの主要設計パラメータを、下表にまとめた。
0006626515.tif 000044
ここで、ＣＴ３は、第３レンズの光軸上の中心厚であり；ＴＴＬは、第１レンズ物体側面から撮影用広角レンズの結像面までの軸上距離であり；ΣＴは、第１レンズから第７レンズまで任意の隣接する両レンズ間の軸上の間隔距離の総和であり；ＩｍｇＨは、結像面における有効画素領域の対角線の長さの半分であり；Ｒ１０は、第５レンズの像側面の曲率半径であり；Ｒ１１は、第６レンズの物体側面の曲率半径であり；ＤＴ６２は、第６レンズ像側面の有効半径であり；ＤＴ７２は、第７レンズ像側面の有効半径である。
【００７１】
上記設計パラメータを実現するため、本実施例に係る７枚式広角レンズに用いる具体的な設計を下表にまとめた。
0006626515.tif 000045
本実施例に係る７枚式広角レンズにおける非球面レンズの高次非球面係数（Ａ４、Ａ６、Ａ８、Ａ１０）を下表にまとめた。
0006626515.tif 000046
本実施例に係る７枚式広角レンズは、図５８、図５９、図６０に示すように、１１０°超広角を実現する基礎において、軸外収差、エッジ部像面の明るさ、歪曲等に対し比較的良好な補正を行い、なお小型化を実現すると同時に良好な加工性を維持した。
実施例１６：
図６１を参照すると、本実施例に係る７枚式広角レンズは、光軸に沿って物体側から像側へと順次に、負の屈折力を有する第１レンズＬ１、負の屈折力を有する第２レンズＬ２、正の屈折力を有する第３レンズＬ３、正の屈折力を有する第４レンズＬ４、正の屈折力を有し、なおその像側面が凸面である第５レンズＬ５、負の屈折力を有し、なおその物体側面と像側面が凹面である第６レンズＬ６、正の屈折力を有する第７レンズＬ７、フィルターＬ８が配列されている。第１レンズＬ１は、物体側面Ｓ１と像側面Ｓ２とを有し、第２レンズＬ２が物体側面Ｓ３と像側面Ｓ４とを有し、第３レンズＬ３が物体側面Ｓ５と像側面Ｓ６とを有し、第４レンズＬ４が物体側面Ｓ７と像側面Ｓ８とを有し、第５レンズＬ５が物体側面Ｓ９と像側面Ｓ１０とを有し、第６レンズＬ６が物体側面Ｓ１１と像側面Ｓ１２とを有し、第７レンズＬ７が物体側面Ｓ１３と像側面Ｓ１４とを有し、フィルターＬ８が物体側面Ｓ１５と像側面Ｓ１６とを有する。本実施例に係る７枚式広角レンズの結像面Ｓ１７は、フィルターＬ８の像側に位置し、感光性素子を取り付けるために用いられることができる。
【００７２】
本実施例に係る７枚式広角レンズの主要設計パラメータを、下表にまとめた。
0006626515.tif 000047
ここで、ＣＴ３は、第３レンズの光軸上の中心厚であり；ＴＴＬは、第１レンズ物体側面から撮影用広角レンズの結像面までの軸上距離であり；ΣＴは、第１レンズから第７レンズまで任意の隣接する両レンズ間の軸上の間隔距離の総和であり；ＩｍｇＨは、結像面における有効画素領域の対角線の長さの半分であり；Ｒ１０は、第５レンズの像側面の曲率半径であり；Ｒ１１は、第６レンズの物体側面の曲率半径であり；ＤＴ６２は、第６レンズ像側面の有効半径であり；ＤＴ７２は、第７レンズ像側面の有効半径である。
【００７３】
上記設計パラメータを実現するため、本実施例に係る７枚式広角レンズに用いる具体的な設計を下表にまとめた。
0006626515.tif 000048
本実施例に係る７枚式広角レンズにおける非球面レンズの高次非球面係数（Ａ４、Ａ６、Ａ８、Ａ１０）を下表にまとめた。
0006626515.tif 000049
本実施例に係る７枚式広角レンズは、図６２、図６３、図６４に示すように、１１０°超広角を実現する基礎において、軸外収差、エッジ部像面の明るさ、歪曲等に対し比較的良好な補正を行い、なお小型化を実現すると同時に良好な加工性を維持した。
実施例１７：
図６５を参照すると、本実施例に係る７枚式広角レンズは、光軸に沿って物体側から像側へと順次に、負の屈折力を有する第１レンズＬ１、負の屈折力を有する第２レンズＬ２、正の屈折力を有する第３レンズＬ３、正の屈折力を有する第４レンズＬ４、正の屈折力を有し、なおその像側面が凸面である第５レンズＬ５、負の屈折力を有し、なおその物体側面と像側面が凹面である第６レンズＬ６、正の屈折力を有する第７レンズＬ７、フィルターＬ８が配列されている。第１レンズＬ１は、物体側面Ｓ１と像側面Ｓ２とを有し、第２レンズＬ２が物体側面Ｓ３と像側面Ｓ４とを有し、第３レンズＬ３が物体側面Ｓ５と像側面Ｓ６とを有し、第４レンズＬ４が物体側面Ｓ７と像側面Ｓ８とを有し、第５レンズＬ５が物体側面Ｓ９と像側面Ｓ１０とを有し、第６レンズＬ６が物体側面Ｓ１１と像側面Ｓ１２とを有し、第７レンズＬ７が物体側面Ｓ１３と像側面Ｓ１４とを有し、フィルターＬ８が物体側面Ｓ１５と像側面Ｓ１６とを有する。本実施例に係る７枚式広角レンズの結像面Ｓ１７は、フィルターＬ８の像側に位置し、感光性素子を取り付けるために用いられることができる。
【００７４】
本実施例に係る７枚式広角レンズの主要設計パラメータを、下表にまとめた。
0006626515.tif 000050
ここで、ＣＴ３は、第３レンズの光軸上の中心厚であり；ＴＴＬは、第１レンズ物体側面から撮影用広角レンズの結像面までの軸上距離であり；ΣＴは、第１レンズから第７レンズまで任意の隣接する両レンズ間の軸上の間隔距離の総和であり；ＩｍｇＨは、結像面における有効画素領域の対角線の長さの半分であり；Ｒ１０は、第５レンズの像側面の曲率半径であり；Ｒ１１は、第６レンズの物体側面の曲率半径であり；ＤＴ６２は、第６レンズ像側面の有効半径であり；ＤＴ７２は、第７レンズ像側面の有効半径である。
【００７５】
上記設計パラメータを実現するため、本実施例に係る７枚式広角レンズに用いる具体的な設計を下表にまとめた。
0006626515.tif 000051
本実施例に係る７枚式広角レンズにおける非球面レンズの高次非球面係数（Ａ４、Ａ６、Ａ８、Ａ１０、Ａ１２、Ａ１４、Ａ１６）を下表にまとめた。
0006626515.tif 000052
本実施例に係る７枚式広角レンズは、図６６、図６７、図６８に示すように、１１０°超広角を実現する基礎において、軸外収差、エッジ部像面の明るさ、歪曲等に対し比較的良好な補正を行い、なお小型化を実現すると同時に良好な加工性を維持した。
【００７６】
上述の実施例は、あくまでも本発明の広角撮像レンズを十分するために挙げた好ましい実施形態であるが、本発明の保護範囲を限定するものではなく、当業者が本発明の原理及び主旨から逸脱しない限りこれらの実施形態に対して行った複種の置換又は切り替えは、発明の保護範囲内にある。本発明の保護範囲は、特許請求の範囲に記載されている内容に準じる。
【図１】
0006626515.tif 000053
【図２】
0006626515.tif 000054
【図３】
0006626515.tif 000055
【図４】
0006626515.tif 000056
【図５】
0006626515.tif 000057
【図６】
0006626515.tif 000058
【図７】
0006626515.tif 000059
【図８】
0006626515.tif 000060
【図９】
0006626515.tif 000061
【図１０】
0006626515.tif 000062
【図１１】
0006626515.tif 000063
【図１２】
0006626515.tif 000064
【図１３】
0006626515.tif 000065
【図１４】
0006626515.tif 000066
【図１５】
0006626515.tif 000067
【図１６】
0006626515.tif 000068
【図１７】
0006626515.tif 000069
【図１８】
0006626515.tif 000070
【図１９】
0006626515.tif 000071
【図２０】
0006626515.tif 000072
【図２１】
0006626515.tif 000073
【図２２】
0006626515.tif 000074
【図２３】
0006626515.tif 000075
【図２４】
0006626515.tif 000076
【図２５】
0006626515.tif 000077
【図２６】
0006626515.tif 000078
【図２７】
0006626515.tif 000079
【図２８】
0006626515.tif 000080
【図２９】
0006626515.tif 000081
【図３０】
0006626515.tif 000082
【図３１】
0006626515.tif 000083
【図３２】
0006626515.tif 000084
【図３３】
0006626515.tif 000085
【図３４】
0006626515.tif 000086
【図３５】
0006626515.tif 000087
【図３６】
0006626515.tif 000088
【図３７】
0006626515.tif 000089
【図３８】
0006626515.tif 000090
【図３９】
0006626515.tif 000091
【図４０】
0006626515.tif 000092
【図４１】
0006626515.tif 000093
【図４２】
0006626515.tif 000094
【図４３】
0006626515.tif 000095
【図４４】
0006626515.tif 000096
【図４５】
0006626515.tif 000097
【図４６】
0006626515.tif 000098
【図４７】
0006626515.tif 000099
【図４８】
0006626515.tif 000100
【図４９】
0006626515.tif 000101
【図５０】
0006626515.tif 000102
【図５１】
0006626515.tif 000103
【図５２】
0006626515.tif 000104
【図５３】
0006626515.tif 000105
【図５４】
0006626515.tif 000106
【図５５】
0006626515.tif 000107
【図５６】
0006626515.tif 000108
【図５７】
0006626515.tif 000109
【図５８】
0006626515.tif 000110
【図５９】
0006626515.tif 000111
【図６０】
0006626515.tif 000112
【図６１】
0006626515.tif 000113
【図６２】
0006626515.tif 000114
【図６３】
0006626515.tif 000115
【図６４】
0006626515.tif 000116
【図６５】
0006626515.tif 000117
【図６６】
0006626515.tif 000118
【図６７】
0006626515.tif 000119
【図６８】
0006626515.tif 000120